(57)【要約】      （修正有）【課題】どの場所でも携帯して設置が簡単であり、各種スポーツ種目別に競技進行情報を容易に確認することができ、スコアリングシステムの異なる様々なスポーツ競技及び時間測定スポーツ競技で汎用的に活用することができるようにした、多種目スポーツ競技用スコアボード装置を提供する。【解決手段】多種目スポーツ競技用スコアボード装置は、表示モジュール１００、操作スイッチ部、操作パネルモジュール２００、制御モジュール３００、および無線通信モジュール６００を含み、制御モジュールは、操作パネルモジュールに備えられた複数の操作スイッチ部のうち、いずれか一つの選択された操作スイッチ部の入力信号の提供を、既に設定された基準時間の間持続的に受ける場合、その選択された操作スイッチ部の入力信号に対応する、既に設定されたスポーツ種目に応じて、表示モジュールに該当スポーツ種目の競技進行情報を表示することを特徴とする。【選択図】図１
2018153610.tif 000002
【特許請求の範囲】
【請求項１】
スポーツ種目別に競技進行情報を表示する表示モジュールと、
複数の操作スイッチ部を備え、各操作スイッチ部の操作によって前記表示モジュールの動作のための入力信号を出力する操作パネルモジュールと、
前記操作パネルモジュールに備えられた各操作スイッチ部の入力信号の提供を受け、各操作スイッチ部の入力信号によって選択されたスポーツ種目に応じて前記表示モジュールに該当スポーツ種目の競技進行情報が表示されるように制御する制御モジュールと、
前記制御モジュールの制御に基づいて、無線通信方式を利用して外部の移動通信端末からのスコアボード制御信号を受信する無線通信モジュールとを含んでなり、
前記制御モジュールは、
前記操作パネルモジュールに備えられた複数の操作スイッチ部のうち、いずれか一つの選択された操作スイッチ部の入力信号の提供を、既に設定された基準時間の間持続的に受ける場合、その選択された操作スイッチ部の入力信号に対応する、既に設定されたスポーツ種目に応じて、前記表示モジュールに該当スポーツ種目の競技進行情報を表示することを特徴とする、多種目スポーツ競技用スコアボード装置。
【請求項２】
前記操作パネルモジュールは、
スポーツ種目別の両チーム競技点数の加点及び減点カウント、両チームの競技ファウル回数または競技セットスコアカウント、及び両チームの作戦タイム回数カウントのための第１操作スイッチ部と、
スポーツ種目別の競技進行時間または作戦タイム時間の開始、停止、初期化、及び競技進行時間または作戦タイム時間の調整のための第２操作スイッチ部と、
スポーツ種目別の基準攻撃制限時間の設定、開始、停止、初期化、及び基準攻撃制限時間の調整のための第３操作スイッチ部と、
スポーツ種目別の両チーム競技点数を初期化するための第４操作スイッチ部と、
スポーツ種目別競技クォーター回数または競技セット回数の変更のための第５操作スイッチ部と、
スポーツ種目別に設定された競技進行時間または作戦タイム時間を保存するための第６操作スイッチ部と、
スポーツ種目別の両チーム攻撃進行方向を設定するための第７操作スイッチ部とを含む、請求項１に記載の多種目スポーツ競技用スコアボード装置。
【請求項３】
前記無線通信モジュールの無線通信方式は、Ｂｌｕｅｔｏｏｔｈ（Ｂｌｕｅｔｏｏｔｈ）、ＲＦＩＤ（Ｒａｄｉｏ  Ｆｒｅｑｕｅｎｃｙ  Ｉｄｅｎｔｉｆｉｃａｔｉｏｎ）、赤外線（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ジグビー（ＺｉｇＢｅｅ）、及びワイファイ（Ｗｉ−Ｆｉ）のいずれか一つの方式であることを特徴とする、請求項１に記載の多種目スポーツ競技用スコアボード装置。
【請求項４】
音声情報データを出力する音声出力モジュールと、
外部の音声情報データを獲得する音声獲得モジュールとをさらに含み、
前記制御モジュールは、既に設定された音声または音源データ、または外部の移動通信端末から受信した音声または音源データが前記音声出力モジュールによって出力されるように制御し、前記音声獲得モジュールから獲得された外部の音声情報が前記音声出力モジュールによって出力されるように制御し、
音声または音源データを前記音声出力モジュールへ出力するための動作機能と音声または音源データの情報を視覚的に表示する音源情報表示部をさらに含むことを特徴とする、請求項１に記載の多種目スポーツ競技用スコアボード装置。
【請求項５】
前記操作パネルモジュールは、既に設定された音源を前記音声出力モジュールへ出力するための第８操作スイッチ部をさらに含むことを特徴とする、請求項４に記載の多種目スポーツ競技用スコアボード装置。
【請求項６】
前記表示モジュールの一側に備えられ、ＵＳＢポート、メモリカードまたはＡＵＸ端子を介して外部のモジュールまたは機器から伝送される音声または音源データを前記制御モジュールへ伝達するインターフェース部をさらに含み、
前記制御モジュールは、前記インターフェース部を介して伝送された音声または音源データを分析して前記音声出力モジュールへ出力し、前記音源情報表示部に前記音声または前記音源データの情報を表示することを特徴とする、請求項４に記載の多種目スポーツ競技用スコアボード装置。
【請求項７】
複数のスイッチを操作することにより、前記音声出力モジュール及び前記音源情報表示部の動作のための入力信号を出力する音源操作スイッチ部をさらに含み、
前記制御モジュールは、前記音源操作スイッチ部から出力される入力信号に応じて前記音声出力モジュール及び前記音源情報表示部の動作を制御することを特徴とする、請求項４に記載の多種目スポーツ競技用スコアボード装置。
【請求項８】
前記表示モジュールに表示された競技進行情報を外部のディスプレイ装置に表示するための映像出力モジュールをさらに含み、
前記映像出力モジュールは、無線通信方式で前記ディスプレイ装置に前記競技進行情報を伝送することを特徴とする、請求項１に記載の多種目スポーツ競技用スコアボード装置。
【請求項９】
電源供給のための電源供給モジュールをさらに含み、
前記電源供給モジュールはバッテリーから構成されることを特徴とする、請求項１に記載の多種目スポーツ競技用スコアボード装置。
【請求項１０】
前記音声出力モジュールの正常かどうかを判断する故障判断回路部をさらに含む、請求項４に記載の多種目スポーツ競技用スコアボード装置。
【発明の詳細な説明】
【技術分野】
【０００１】
本発明は、多種目スポーツ競技用スコアボード装置に係り、より詳しくは、各種スポーツ種目別に競技進行情報を容易に確認することができるようにした多種目スポーツ競技用スコアボード装置に関する。
【背景技術】
【０００２】
一般に、各種スポーツ競技（例えば、サッカー、バスケットボール、バレーボール、野球、バドミントン、テニスなど）は、点数によって両チーム競技者の勝敗を決める方式で行われる。これらのスポーツ競技で両チームの競技者が獲得した点数を表示するために、スコアボード（Ｓｃｏｒｅｂｏａｒｄ）が使用される。
【０００３】
スポーツ競技が公式競技として競技場などで行われる場合には、競技進行要員、記録係、審判などにより、競技場の壁面などに固設された大型の電子スコアボードに両チーム競技者の得点が表示される。
【０００４】
ところで、最近では、国民の健康増進を目的とした生活体育施設が地域のあちこちに設置されており、このような生活体育施設で行われる同好会及び親睦団体の親善競技や練習競技では、大型の電子スコアボードを使用するのが困難であって、携帯式手動数字板または黒板などを用いて両チームの得点を表示している。
【０００５】
特に、小規模の人員が集まってスポーツ競技を行う場合には、競技進行要員、記録係、審判などを別途運営するのが大変なので、 携帯式手動数字板や黒板などを用いることも困難である。
【０００６】
したがって、両チームのスコアを両チーム競技者の記憶に頼る。この場合、両チーム競技者がスコアを忘れてしまったり、間違って覚えているスコアでスポーツ競技を進行したりすることにより、両チーム競技者の間で争いが発生することもある。
【０００７】
また、スポーツ競技のためのコート（ｃｏｕｒｔ）の数は限られており、競技を希望する人々が多い場合に待機者が発生するが、上述のように両チームのスコアを両チーム競技者の記憶に頼る場合には、外部から現在のスコアや進行時間などを知ることができないため、待機者はまず進行中の競技が何時終了するのか予測することは難しいのが実情である。
【先行技術文献】
【特許文献】
【０００８】
【特許文献１】韓国登録特許第１０−１２２９６４０号公報
【発明の概要】
【発明が解決しようとする課題】
【０００９】
本発明は、前述した問題点を解決するためになされたもので、その目的は、どの場所でも携帯して設置が簡単であり、各種スポーツ種目別に競技進行情報を容易に確認することができ、スコアリングシステムの異なる様々なスポーツ競技及び時間測定スポーツ競技で汎用的に活用することができるようにした、多種目スポーツ競技用スコアボード装置を提供することにある。
【課題を解決するための手段】
【００１０】
上記課題を解決するために、本発明の多種目スポーツ競技用スコアボード装置は以下の手段を採用する。
本発明の第一態様にかかる多種目スポーツ競技用スコアボード装置は、スポーツ種目別に競技進行情報を表示する表示モジュールと、複数の操作スイッチ部を備え、各操作スイッチ部の操作によって前記表示モジュールの動作のための入力信号を出力する操作パネルモジュールと、前記操作パネルモジュールに備えられた各操作スイッチ部の入力信号の提供を受け、各操作スイッチ部の入力信号によって選択されたスポーツ種目に応じて前記表示モジュールに該当スポーツ種目の競技進行情報が表示されるように制御する制御モジュールと、前記制御モジュールの制御に基づいて、無線通信方式を利用して外部の移動通信端末からのスコアボード制御信号を受信する無線通信モジュールとを含んでなり、前記制御モジュールは、前記操作パネルモジュールに備えられた複数の操作スイッチ部のうち、いずれか一つの選択された操作スイッチ部の入力信号の提供を、既に設定された基準時間の間持続的に受ける場合、その選択された操作スイッチ部の入力信号に対応する、既に設定されたスポーツ種目に応じて、前記表示モジュールに該当スポーツ種目の競技進行情報を表示することを特徴とする。
【発明の効果】
【００１１】
上述したような本発明の多種目スポーツ競技用スコアボード装置によれば、どの場所でも携帯して設置が簡単であり、各種スポーツ種目別に競技進行情報を容易に確認することができ、スコアリングシステムの異なる様々なスポーツ競技及び時間測定スポーツ競技で汎用的に活用することができるという利点がある。
【図面の簡単な説明】
【００１２】
【図１】本発明の一実施例に係る多種目スポーツ競技用スコアボード装置を説明するための全体的なブロック構成図である。
【図２】本発明の一実施例に適用された表示モジュールの前面を具体的に説明するための平面図である。
【図３】本発明の一実施例に適用された表示モジュールの背面を具体的に説明するための平面図である。
【図４】本発明の一実施例に適用された表示モジュールの上面を具体的に説明するための平面図である。
【図５】本発明の一実施例に適用された操作パネルモジュールを具体的に説明するための平面図である。
【図６】本発明の一実施例に係る多種目スポーツ競技用スコアボード装置を用いてスポーツ種目別に表示モジュールに競技進行情報を表示する一例を示す使用状態図である。
【図７】本発明の一実施例に係る多種目スポーツ競技用スコアボード装置を用いてスポーツ種目別に表示モジュールに競技進行情報を表示する一例を示す使用状態図である。
【図８】本発明の一実施例に係る多種目スポーツ競技用スコアボード装置を用いてスポーツ種目別に表示モジュールに競技進行情報を表示する一例を示す使用状態図である。
【図９】本発明の一実施例に係る多種目スポーツ競技用スコアボード装置を用いてスポーツ種目別に表示モジュールに競技進行情報を表示する一例を示す使用状態図である。
【図１０】本発明の一実施例に係る多種目スポーツ競技用スコアボード装置を用いてスポーツ種目別に表示モジュールに競技進行情報を表示する一例を示す使用状態図である。
【図１１】本発明の一実施例に係る多種目スポーツ競技用スコアボード装置を用いてスポーツ種目別に表示モジュールに競技進行情報を表示する一例を示す使用状態図である。
【図１２】本発明の一実施例に係る多種目スポーツ競技用スコアボード装置を用いてスポーツ種目別に表示モジュールに競技進行情報を表示する一例を示す使用状態図である。
【図１３】本発明の一実施例に係る多種目スポーツ競技用スコアボード装置を用いてスポーツ種目別に表示モジュールに競技進行情報を表示する一例を示す使用状態図である。
【図１４】本発明の一実施例に係る多種目スポーツ競技用スコアボード装置を用いて外部のディスプレイ装置に画面を出力する使用状態図である。
【図１５】本発明の一実施例に係る故障判断回路部の動作順序図である。
【発明を実施するための形態】
【００１３】
前述した目的、特徴及び利点は、添付図面を参照して詳細に後述され、これにより、本発明の属する技術分野における通常の知識を有する者が本発明の技術的思想を容易に実施することができるだろう。本発明を説明するにあたり、本発明に関連する公知の技術についての具体的な説明が本発明の要旨を無駄に曖昧にするおそれがあると判断される場合には、詳細な説明を省略する。
【００１４】
第１、第２などの序数を含む用語は、様々な構成要素を説明するために使用できるが、これらの構成要素はこれらの用語によって限定されない。これらの用語は、一つの構成要素を他の構成要素から区別する目的のみで使用される。例えば、本発明の権利範囲を逸脱することなく、第１構成要素は第２構成要素と命名でき、これと同様に、第２構成要素も第１構成要素と命名できる。本出願で使用した用語は、単に特定の実施例を説明するために使用されたもので、本発明を限定するものではない。単数の表現は、文脈上明白に異なる意味ではない限り、複数の表現を含む。
【００１５】
本発明で使用される用語は、本発明における機能を考慮しながら出来る限り現在広く使用される一般な用語を選択したが、これは当分野に従事する技術者の意図または判例、新しい技術の出現などによって異なる。また、特定の場合は、出願人が任意に選定した用語もあり、この場合、該当する発明の説明部分で詳細にその意味を記載する。よって、本発明で使用される用語は、単純な用語の名称ではなく、その用語が持つ意味と本発明の全般にわたる内容に基づいて定義されるべきである。
【００１６】
明細書全体において、ある部分がある構成要素を「含む」とするとき、これは特に反対される記載がない限り、他の構成要素を除外するのではなく、他の構成要素をさらに含むことができることを意味する。また、明細書に記載された「．．．部」、「モジュール」などの用語は、少なくとも一つの機能や動作を処理する単位を意味し、これはハードウェア、ソフトウェア、或いはハードウェアとソフトウェアとの組み合わせで実現できる。
【００１７】
以下、添付図面を参照して本発明の実施例を詳細に説明する。しかし、以下に例示する本発明の実施例は、様々な形態に変形でき、本発明の範囲を限定するものではない。本発明の実施例は、当業界における通常の知識を有する者に本発明をより完全に説明するために提供されるものである。
【００１８】
添付されたブロック図の各ブロックとフローチャートの各段階の組み合わせは、コンピュータプログラムインストラクション（実行エンジン）によって実行されることも可能であり、これらのコンピュータプログラムインストラクションは、汎用コンピュータ、特殊用コンピュータまたはその他のプログラム可能なデータ処理装備のプロセッサに搭載できるので、コンピュータまたはその他のプログラム可能なデータ処理装備のプロセッサによって行われるそのインストラクションは、ブロック図の各ブロックまたはフローチャートの各段階で説明された機能を行う手段を生成する。これらのコンピュータプログラムインストラクションは、特定の方式で機能を実現するために、コンピュータまたはその他のプログラム可能なデータ処理装備を指向することができるコンピュータ利用可能またはコンピュータ可読メモリに保存されることも可能なので、そのコンピュータ利用可能またはコンピュータ可読メモリに保存されたインストラクションは、ブロック図の各ブロックまたはフローチャートの各段階で説明された機能を行うインストラクション手段を内包する製造品目を生産することも可能である。
【００１９】
また、コンピュータプログラムインストラクションは、コンピュータまたはその他のプログラム可能なデータ処理装備上に搭載されることも可能なので、コンピュータまたはその他のプログラム可能なデータ処理装備上で一連の動作段階が行われることで、コンピュータで実行されるプロセスを生成してコンピュータまたはその他のプログラム可能なデータ処理装備を行うインストラクションは、ブロック図の各ブロック及びフローチャートの各段階で説明される機能を実行するための段階を提供することも可能である。
【００２０】
また、各ブロックまたは各段階は、特定の論理機能を実行するための一つ以上の実行可能なインストラクションを含むモジュール、セグメントまたはコードの一部を示すことができ、幾つかの代替実施例では、ブロックまたは段階で言及された機能が順序を逸脱して発生することも可能であることに注目すべきである。例えば、相次いで図示されている２つのブロックまたは段階は、実際、実質的に同時に行われることも可能であり、また、それらのブロックまたは段階が必要に応じて該当機能の逆の順で行われることも可能である。
【００２１】
図１は本発明の一実施例に係る多種目スポーツ競技用スコアボード装置を説明するための全体的なブロック構成図、図２は本発明の一実施例に適用された表示モジュールの前面を具体的に説明するための平面図、図３は本発明の一実施例に適用された表示モジュールの背面を具体的に説明するための平面図、図４は本発明の一実施例に適用された表示モジュールの上面を具体的に説明するための平面図、図５は本発明の一実施例に適用された操作パネルモジュールを具体的に説明するための平面図、図６乃至図１３は本発明の一実施例に係る多種目スポーツ競技用スコアボード装置を用いてスポーツ種目別に表示モジュールに競技進行情報を表示する一例を示す使用状態図である。
【００２２】
図１乃至図１３を参照すると、本発明の一実施例に係る多種目スポーツ競技用スコアボード装置は、大きく、表示モジュール１００、操作パネルモジュール２００、制御モジュール３００、及び電源供給モジュール４００などを含んでなる。
【００２３】
また、本発明の一実施例に係る多種目スポーツ競技用スコアボード装置は、保存モジュール５００、無線通信モジュール６００、近距離無線通信モジュール７００、音声出力モジュール８００、及び音声獲得モジュール９００などをさらに含むこともできる。一方、図１に示された構成要素が必須的なものではないため、本発明の一実施例に係る多種目スポーツ競技用スコアボード装置は、それよりも多くの構成要素を持つか、それよりも少ない構成要素を持つことができる。
【００２４】
以下、本発明の一実施例に係る多種目スポーツ競技用スコアボード装置の構成要素について具体的に考察する。
【００２５】
表示モジュール１００は、制御モジュール３００の制御に基づいてスポーツ種目別（例えば、屋内サッカー、シャトルラン、バレーボール、レスリング、バスケットボール、バドミントン、卓球、柔道、フットサルなど）に競技進行情報（例えば、競技進行時間、作戦タイム時間、攻撃制限時間、競技点数、競技セット回数、競技クォーター回数、作戦タイム回数、競技進行段階、競技進行段階別の遂行回数、競技ファウル回数、攻撃進行方向など）を表示する機能を行う。
【００２６】
このような表示モジュール１００は、図２に示すように、本体部１１０、第１表示部１２０、第２表示部１３０ａ及び１３０ｂ、第３表示部１４０、第４表示部１５０ａ及び１５０ｂ、第５表示部１６０ａ及び１６０ｂ、第６表示部１７０、第７表示部１８０ａ及び１８０ｂ、並びに第８表示部１９０などを含んでなる。
【００２７】
ここで、本体部１１０は、例えば、直方体箱形の全体的なボディからなるので、ユーザーが特定の場所へ容易に移動し得るように備えられている。
【００２８】
このような本体部１１０の一側面（好ましくは、上側面）には、ユーザーの手で握って移動するための取っ手部１１５を設けることが好ましい。
【００２９】
第１表示部１２０は、本体部１１０の一側面（好ましくは、前面）に備えられており、操作パネルモジュール２００に備えられた複数の操作スイッチ部２１０乃至２８０の入力信号によって選択されたスポーツ種目に応じて競技進行時間または作戦タイム時間などを表示する機能を行う。
【００３０】
第２表示部１３０ａ及び１３０ｂは、本体部１１０の一側面（好ましくは、前面）に備えられており、操作パネルモジュール２００に備えられた複数の操作スイッチ部２１０乃至２８０の入力信号によって選択されたスポーツ種目に応じて両チームの競技点数または競技進行段階などを表示する機能を行う。
【００３１】
このような第２表示部１３０ａ及び１３０ｂは、第１表示部１２０の下方の両側に所定の間隔で離隔してそれぞれ配置されることが好ましい。
【００３２】
第３表示部１４０は、本体部１１０の一側面（好ましくは、前面）に備えられており、操作パネルモジュール２００に備えられた複数の操作スイッチ部２１０乃至２８０の入力信号によって選択されたスポーツ種目に応じて競技進行段階別の遂行回数、競技セット回数または攻撃制限時間のいずれかを表示する機能を行う。
【００３３】
このような第３表示部１４０は、第１表示部１２０の下方、及び第２表示部１３０ａ及び１３０ｂの間に配置されることが好ましい。
【００３４】
第４表示部１５０ａ及び１５０ｂは、本体部１１０の一側面（好ましくは、前面）に備えられており、操作パネルモジュール２００に備えられた複数の操作スイッチ部２１０乃至２８０の入力信号によって選択されたスポーツ種目に応じて両チームの競技セットスコアまたは両チームの競技ファウル回数などを表示する機能を行う。
【００３５】
このような第４表示部１５０ａ及び１５０ｂは、第１表示部１２０の左側及び右側に所定の間隔で離隔してそれぞれ配置されることが好ましく、第１表示部１２０の大きさよりも小さく形成されることが好ましい。
【００３６】
第５表示部１６０ａ及び１６０ｂは、本体部１１０の一側面（好ましくは、前面）に備えられており、操作パネルモジュール２００に備えられた複数の操作スイッチ部２１０乃至２８０の入力信号によって選択されたスポーツ種目に応じて両チームの作戦タイム回数を表示する機能を行う。
【００３７】
このような第５表示部１６０ａ及び１６０ｂは、第４表示部１５０ａ及び１５０ｂの下方、並びに第２表示部１３０ａ及び１３０ｂと第４表示部１５０ａ及び１５０ｂとの間にそれぞれ配置されることが好ましい。また、第５表示部１６０ａ及び１６０ｂは、一定の大きさのドット（ｄｏｔ）形態を有しながら一列に（好ましくは、縦方向）複数個（例えば、３個など）が一定間隔離隔して配列されることが好ましい。
【００３８】
第６表示部１７０は、本体部１１０の一側面（好ましくは、前面）に備えられており、操作パネルモジュール２００に備えられた複数の操作スイッチ部２１０乃至２８０の入力信号によって選択されたスポーツ種目に応じて競技クォーター回数を表示する機能を行う。
【００３９】
このような第６表示部１７０は、第１表示部１２０の下方、及び第１表示部１２０と第３表示部１４０との間に配置されることが好ましい。また、第６表示部１７０は、一定の大きさのドット（ｄｏｔ）形態を有しながら一列に（好ましくは、横方向）複数個（例えば、５個など）が数字（例えば、１、２、３、４、５など）と一緒に一定間隔離隔して配列されることが好ましい。
【００４０】
第７表示部１８０ａ及び１８０ｂは、本体部１１０の一側面（好ましくは、前面）に備えられており、操作パネルモジュール２００に備えられた複数の操作スイッチ部２１０乃至２８０の入力信号によって選択されたスポーツ種目に応じて両チームの攻撃進行方向を表示する機能を行う。
【００４１】
このような第７表示部１８０ａ及び１８０ｂは、第１表示部１２０の左側及び右側、第１表示部１２０と第４表示部１５０ａ及び１５０ｂとの間に所定の間隔で離隔してそれぞれ配置されることが好ましく、第１表示部１２０を基準として両側に対称的に三角形の形状に形成されることが好ましい。
【００４２】
第８表示部１９０は、例えば、競技進行要員、記録係、審判などが競技進行情報を容易に確認することができるように備えられたものであって、図３に示すように、本体部１１０の他側面（好ましくは、背面）に備えられており、制御モジュール３００の制御に基づいて、第１乃至第７表示部１２０乃至１８０ｂに表示されるスポーツ種目別の競技進行情報を同一に表示する機能を行う。
【００４３】
このような第８表示部１９０は、第１乃至第７表示部１２０乃至１８０ｂの大きさよりも小さく備えられることが好ましい。
【００４４】
一方、前述した表示モジュール１００に備えられた第１乃至第８表示部１２０乃至１９０は、通常のプリント基板（Ｐｒｉｎｔｅｄ  Ｃｉｒｃｕｉｔ  Ｂｏａｒｄ、ＰＣＢ）上に秒及び分単位の数字を表示するための少なくとも一つのＦＮＤ（Ｆｌｅｘｉｂｌｅ  Ｎｕｍｅｒｉｃ  Ｄｉｓｐｌａｙ）を含むことが好ましいが、これに限定されず、少なくとも一つの７−セグメント（ｓｅｇｍｅｎｔ）または少なくとも一つのＬＥＤ（Ｌｉｇｈｔ  Ｅｍｉｔｔｅｄ  Ｄｉｏｄｅ）発光素子などを用いて秒及び分単位の数字、図形などを表示することができるものであれば、いずれの表示装置を使用してもよい。
【００４５】
例えば、第１乃至第８表示部１２０乃至１９０は、液晶ディスプレイ（Ｌｉｑｕｉｄ  Ｃｒｙｓｔａｌ  Ｄｉｓｐｌａｙ、ＬＣＤ）、発光ダイオードディスプレイ（Ｌｉｇｈｔ  Ｅｍｉｔｔｉｎｇ  Ｄｉｏｄｅ、ＬＥＤ）、薄膜トランジスタ液晶ディスプレイ（Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ、ＴＦＴ  ＬＣＤ）、有機発光ダイオード（Ｏｒｇａｎｉｃ  Ｌｉｇｈｔ  Ｅｍｉｔｔｉｎｇ  Ｄｉｏｄｅ、ＯＬＥＤ）、フレキシブルディスプレイ（Ｆｌｅｘｉｂｌｅ  Ｄｉｓｐｌａｙ）、プラズマディスプレイパネル（Ｐｌａｓｍａ  Ｄｉｓｐｌａｙ  Ｐａｎｅｌ、ＰＤＰ）、ＡＬｉＳ（Ａｌｔｅｒｎａｔｅ  Ｌｉｇｈｔｉｎｇ  ｏｆ  Ｓｕｒｆａｃｅｓ）、デジタル光源処理（ＤＬＰ）、ＬＣｏＳ（Ｌｉｑｕｉｄ  Ｃｒｙｓｔａｌ  ｏｎ  ｓｉｌｉｃｏｎ）、表面伝導型電子放出素子ディスプレイ（ＳＥＤ）、電界放出ディスプレイ（ＦＥＤ）、レーザーＴＶ（量子ドットレーザー、液晶レーザー）、光誘電性液体ディスプレイ（ＦＬＤ）、干渉変調器ディスプレイ（ｉＭｏＤ）、厚膜誘電体無機ＥＬディスプレイ（ＴＤＥＬ）、量子ドットディスプレイ（ＱＤ−ＬＥＤ）、テレスコーピックピクセルディスプレイ（ＴＰＤ）、有機発光トランジスタ（ＯＬＥＴ）、レーザー蛍光ディスプレイ（ＬＰＤ）、及び３次元ディスプレイ（３Ｄ  ｄｉｓｐｌａｙ）のうちの少なくとも一つを含むことができる、これに限定されるものではなく、数字、文字または図形などを表示（Ｄｉｓｐｌａｙ）することができるものであれば、いずれのものでも含むことができる。
【００４６】
操作パネルモジュール２００は、複数の操作スイッチ部２１０乃至２８０を備えており、各操作スイッチ部２１０乃至２８０の操作によって表示モジュール１００の動作のための入力信号を出力する機能を行う。
【００４７】
このような操作パネルモジュール２００は、図５に示すように、第１操作スイッチ部２１０ａ及び２１０ｂ、第２操作スイッチ部２２０、第３操作スイッチ部２３０、第４操作スイッチ部２４０、第５操作スイッチ部２５０、第６操作スイッチ部２６０、第７操作スイッチ部２７０、及び第８操作スイッチ部２８０などを含んでなる。
【００４８】
ここで、第１操作スイッチ部２１０ａ及び２１０ｂは、スポーツ種目別の両チームの競技点数の加点カウント（例えば、１Ｐ、２Ｐ、３Ｐボタン）及び減点カウント（例えば、減点ボタン）、両チームの競技ファウル回数または競技セットスコアカウント（例えば、ファウル／セットボタン）、両チームの作戦タイム回数カウント（例えば、作戦タイムボタン）のための多数の操作スイッチが備えられている。
【００４９】
第２操作スイッチ部２２０は、スポーツ種目別の競技進行時間または作戦タイム時間の開始（Ｓｔａｒｔ）、停止（Ｓｔｏｐ）、初期化（Ｒｅｓｅｔ）、競技進行時間または作戦タイム時間（例えば、分／秒）のアップ（ＵＰ）及びダウン（ＤＯＷＮ）調整のための多数の操作スイッチが備えられている。
【００５０】
第３操作スイッチ部２３０は、スポーツ種目別の基準攻撃制限時間（例えば、１４秒、２４秒）の設定、開始（Ｓｔａｒｔ）、停止（Ｓｔｏｐ）、初期化（Ｒｅｓｅｔ）、基準攻撃制限時間のアップ（ＵＰ）及びダウン（ＤＯＷＮ）調整のための多数の操作スイッチが備えられている。
【００５１】
第４操作スイッチ部２４０は、スポーツ種目別の両チームの競技点数を初期化（Ｒｅｓｅｔ）するための一つの操作スイッチ（例えば、点数ＲＥＳＥＴボタン）が備えられている。
【００５２】
第５操作スイッチ部２５０は、スポーツ種目別の競技クォーター回数または競技セット回数の変更のための一つの操作スイッチ（例えば、クォーターボタン）が備えられている。
【００５３】
第６操作スイッチ部２６０は、スポーツ種目別に設定された競技進行時間または作戦タイム時間を保存するための一つの操作スイッチ（例えば、保存ボタン）が備えられている。
【００５４】
第７操作スイッチ部２７０は、スポーツ種目別の両チームの攻撃進行方向を設定するための一つの操作スイッチ（例えば、ＰＬＡＹボタン）が備えられている。
【００５５】
第８操作スイッチ部２８０は、既に設定された音源を聴覚的に出力するための一つの操作スイッチ（例えば、Ｂｕｚｚｅｒボタン）が備えられている。
【００５６】
制御モジュール３００は、本発明の一実施例に係る多種目スポーツ競技用スコアボード装置の全体的な制御を行うモジュールであって、特に、操作パネルモジュール２００に備えられた複数の第１乃至第８操作スイッチ部２１０ａ乃至２８０の入力信号の提供を受け、各第１乃至第８操作スイッチ部２１０ａ乃至２８０の入力信号によって選択されたスポーツ種目に応じて表示モジュール１００に該当スポーツ種目の競技進行情報が表示されるように制御する機能を行う。
【００５７】
また、制御モジュール３００は、操作パネルモジュール２００に備えられた複数の第１乃至第８操作スイッチ部２１０ａ乃至２８０のうち、いずれか一つの選択された操作スイッチ部の入力信号の提供を、既に設定された基準時間の間（例えば、５秒間）持続的に受ける場合、該当選択された操作スイッチ部の入力信号に対応する、既に設定されたスポーツ種目に応じて表示モジュール１００に該当スポーツ種目の競技進行情報が表示されるように制御する機能を行うことができる。
【００５８】
また、制御モジュール３００は、操作パネルモジュール２００に備えられた複数の第１乃至第８操作スイッチ部２１０ａ乃至２８０のうち、いずれか一つの選択された操作スイッチ部の入力信号の提供を、既に設定された基準時間の間（例えば、５秒間）持続的に受ける場合、該当選択された操作スイッチ部の入力信号に対応する、既に設定されたスポーツ種目の固有番号（例えば、１乃至１１）が、該当選択された操作スイッチ部に備えられた別途の表示部（図示せず）によって表示されるように制御する機能を行うことができる。
【００５９】
一方、前記該当選択された操作スイッチ部に備えられた別途の表示部は、通常、該当選択された操作スイッチ部の下部に数字を表示するための少なくとも一つのＦＮＤ（Ｆｌｅｘｉｂｌｅ  Ｎｕｍｅｒｉｃ  Ｄｉｓｐｌａｙ）、７−セグメント（ｓｅｇｍｅｎｔ）、ＬＥＤ（Ｌｉｇｈｔ  Ｅｍｉｔｔｅｄ  Ｄｉｏｄｅ）発光素子、または液晶ディスプレイ（ＬＣＤ）などで実現できる。
【００６０】
一例として、図６に示すように、操作パネルモジュール２００に備えられた複数の第１乃至第８操作スイッチ部２１０ａ乃至２８０のうち、いずれか一つの選択された第７操作スイッチ部２７０（例えば、ＰＬＡＹボタン）を、既に設定された基準時間の間（例えば、５秒間）持続的に押していれば、該当選択された第７操作スイッチ部２７０の入力信号に対応する、既に設定されたスポーツ種目（例えば、屋内サッカー）の固有番号（例えば、１）が、該当選択された第７操作スイッチ部２７０に備えられた別途の表示部によって表示されるとともに、既に設定されたスポーツ種目（例えば、屋内サッカー）に応じて表示モジュール１００に該当スポーツ種目（例えば、屋内サッカー）の競技進行情報が表示される。
【００６１】
すなわち、制御モジュール３００は、該当選択された第７操作スイッチ部２７０の入力信号に対応する、既に設定されたスポーツ種目が屋内サッカー種目である場合、操作パネルモジュール２００に備えられた第２操作スイッチ部２２０の入力信号によって設定された屋内サッカー種目の競技進行時間（例えば、前半：４５分、後半：４５分、合計９０分）が表示モジュール１００の第１表示部１２０に表示されるように制御する機能を行うことができる。
【００６２】
また、制御モジュール３００は、操作パネルモジュール２００に備えられた第２操作スイッチ部２２０の入力信号によって設定された屋内サッカー種目の競技進行時間が、操作パネルモジュール２００に備えられた第６操作スイッチ部２６０（例えば、保存ボタン）の入力信号に応じて別途の保存モジュール５００に保存されるように制御する機能を行うことができる。
【００６３】
また、制御モジュール３００は、操作パネルモジュール２００に備えられた第１操作スイッチ部２１０ａ及び２１０ｂの入力信号に応じて、両チームの競技点数の加点（例えば、１Ｐボタン）及び／または減点（例えば、減点ボタン）カウントが表示モジュール１００の第２表示部１３０ａ及び１３０ｂにそれぞれ表示されるように制御する機能を行うことができる。
【００６４】
他の例として、図７に示すように、操作パネルモジュール２００に備えられた複数の第１乃至第８操作スイッチ部２１０ａ乃至２８０のうち、いずれか一つの選択された第３操作スイッチ部２３０（例えば、２４秒の開始／停止ボタン）を、既に設定された基準時間の間（例えば、５秒間）持続的に押していれば、該当選択された第３操作スイッチ部２３０の入力信号に対応する、既に設定されたスポーツ種目（例えば、シャトルラン）の固有番号（例えば、２）が、該当選択された第３操作スイッチ部２３０に備えられた別途の表示部によって表示されるとともに、既に設定されたスポーツ種目（例えば、シャトルラン）に応じて表示モジュール１００に該当スポーツ種目（例えば、シャトルラン）の競技進行情報が表示される。
【００６５】
すなわち、制御モジュール３００は、該当選択された第３操作スイッチ部２３０の入力信号に対応する、既に設定されたスポーツ種目がシャトルラン（Ｓｈｕｔｔｌｅ  Ｒｕｎ）種目である場合、既に設定されたシャトルラン競技進行段階別（例えば、１〜２１段階）の競技進行時間（例えば、９秒乃至３．８９秒）が表示モジュール１００の第１表示部１２０に表示されるように制御する機能を行うことができる。
【００６６】
また、制御モジュール３００は、現在のシャトルラン競技進行段階が表示モジュール１００の第２表示部１３０ａまたは１３０ｂに表示されるように制御する機能を行い、既に設定されたシャトルラン競技進行段階別の基準シャトルラン遂行回数（Ｓｈｕｔｔｌｅ  Ｒｕｎ  Ｃｏｕｎｔｅｒ）（例えば、７乃至１６回数）が表示モジュール１００の第３表示部１４０に表示されるように制御する機能を行うことができる。
【００６７】
別の一例として、図８に示すように、操作パネルモジュール２００に備えられた複数の第１乃至第８操作スイッチ部２１０ａ乃至２８０のうち、いずれか一つの選択された第３操作スイッチ部２３０（例えば、２４秒アップ（ＵＰ）ボタン）を、既に設定された基準時間の間（例えば、５秒間）持続的に押していれば、該当選択された第３操作スイッチ部２３０の入力信号に対応する、既に設定されたスポーツ種目（例えば、バレーボール）の固有番号（例えば、３）が、該当選択された第３操作スイッチ部２３０に備えられた別途の表示部によって表示されるとともに、既に設定されたスポーツ種目（例えば、バレーボール）に応じて表示モジュール１００に該当スポーツ種目（例えば、バレーボール）の競技進行情報が表示される。
【００６８】
すなわち、制御モジュール３００は、該当選択された第３操作スイッチ部２３０の入力信号に対応する、既に設定されたスポーツ種目がバレーボール種目である場合、操作パネルモジュール２００に備えられた第１操作スイッチ部２１０ａ及び２１０ｂの入力信号に応じて、両チームの作戦タイム回数（例えば、セット当たり１回ずつ使用可能）が表示モジュール１００の第５表示部１６０ａ及び１６０ｂにそれぞれ表示されるように制御する機能を行うことができる。
【００６９】
また、制御モジュール３００は、操作パネルモジュール２００に備えられた第２操作スイッチ部２２０の入力信号によって設定されたバレーボール種目の作戦タイム時間（例えば、６０秒）が表示モジュール１００の第１表示部１２０に表示されるように制御する機能を行うことができる。
【００７０】
また、制御モジュール３００は、操作パネルモジュール２００に備えられた第２操作スイッチ部２２０の入力信号によって設定されたバレーボール種目の作戦タイム時間（例えば、６０秒）が操作パネルモジュール２００の第６操作スイッチ部２６０（例えば、保存ボタン）の入力信号に応じて、別途の保存モジュール５００に保存されるように制御する機能を行うことができる。
【００７１】
また、制御モジュール３００は、操作パネルモジュール２００に備えられた第１操作スイッチ部２１０ａ及び２１０ｂの入力信号に応じて、両チームの競技点数（例えば、１乃至４セット２５点、５セット１５点）の加点（例えば、１Ｐボタン）及び／または減点（例えば、減点ボタン）カウントが表示モジュール１００の第２表示部１３０ａ及び１３０ｂにそれぞれ表示されるように制御する機能を行うことができる。
【００７２】
また、制御モジュール３００は、操作パネルモジュール２００に備えられた第５操作スイッチ部２５０（例えば、クォーターボタン）の入力信号に応じて、競技セット回数（例えば、１乃至５セット）が表示モジュール１００の第３表示部１４０に表示されるように制御する機能を行うことができる。
【００７３】
また、制御モジュール３００は、操作パネルモジュール２００に備えられた第１操作スイッチ部２１０ａ及び２１０ｂ（例えば、ファウル／セットボタン）の入力信号に応じて、両チームの競技セットスコアが表示モジュール１００の第４表示部１５０ａ及び１５０ｂにそれぞれ表示されるように制御する機能を行うことができる。
【００７４】
また、制御モジュール３００は、操作パネルモジュール２００に備えられた第７操作スイッチ部２７０の入力信号に応じて、両チームの攻撃進行方向が表示モジュール１００の第７表示部１８０ａ及び１８０ｂにそれぞれ表示されるように制御する機能を行うことができる。
【００７５】
別の一例として、図９に示すように、操作パネルモジュール２００に備えられた複数の第１乃至第８操作スイッチ部２１０ａ乃至２８０のうち、いずれか一つの選択された第２操作スイッチ部２２０（例えば、秒アップ（ＵＰ）ボタン）を、既に設定された基準時間の間（例えば、５秒間）持続的に押していれば、該当選択された第２操作スイッチ部２２０の入力信号に対応する、既に設定されたスポーツ種目（例えば、レスリング）の固有番号（例えば、５）が、該当選択された第２操作スイッチ部２２０に備えられた別途の表示部によって表示されるとともに、既に設定されたスポーツ種目（例えば、レスリング）に応じて表示モジュール１００に該当スポーツ種目（例えば、レスリング）の競技進行情報が表示される。
【００７６】
すなわち、制御モジュール３００は、該当選択された第２操作スイッチ部２２０の入力信号に対応する、既に設定されたスポーツ種目がレスリング種目である場合、操作パネルモジュール２００に備えられた第２操作スイッチ部２２０の入力信号によって設定されたレスリング種目の競技進行時間（例えば、３ラウンド３分）が表示モジュール１００の第１表示部１２０に表示されるように制御する機能を行うことができる。
【００７７】
また、制御モジュール３００は、操作パネルモジュール２００に備えられた第２操作スイッチ部２２０の入力信号によって設定されたレスリング種目の競技進行時間（例えば、３ラウンド３分）が操作パネルモジュール２００の第６操作スイッチ部２６０（例えば、保存ボタン）の入力信号に応じて、別途の保存モジュール５００に保存されるように制御する機能を行うことができる。
【００７８】
また、制御モジュール３００は、操作パネルモジュール２００に備えられた第１操作スイッチ部２１０ａ及び２１０ｂの入力信号に応じて、両チームの競技点数の加点（例えば、１Ｐ、２Ｐ、３Ｐボタン）及び／または減点（例えば、減点ボタン）カウントが表示モジュール１００の第２表示部１３０ａ及び１３０ｂにそれぞれ表示されるように制御する機能を行うことができる。
【００７９】
また、制御モジュール３００は、操作パネルモジュール２００に備えられた第１操作スイッチ部２１０ａ及び２１０ｂ（例えば、ファウル／セットボタン）の入力信号に応じて、両チームの競技ファウル回数（例えば、３つのファウル回数入力可能）が表示モジュール１００の第４表示部１５０ａ及び１５０ｂにそれぞれ表示されるように制御する機能を行うことができる。
【００８０】
また、制御モジュール３００は、各ラウンド（例えば、３ラウンド）が終了すると、自動的に所定の休憩時間（例えば、３０秒）が表示モジュール１００の第１表示部１２０に表示されるように制御する機能を行うことができる。一方、前記休憩時間の強制終了は、第２操作スイッチ部２２０に備えられた競技進行時間の開始／停止（ＳＴＡＲＴ／ＳＴＯＰ）ボタンを用いて行うことができる。
【００８１】
別の例として、図１０に示すように、操作パネルモジュール２００に備えられた複数の第１乃至第８操作スイッチ部２１０ａ乃至２８０のうち、いずれか一つの選択された第２操作スイッチ部２２０（例えば、競技進行時間の開始／停止（ＳＴＡＲＴ／ＳＴＯＰ）ボタン）を、既に設定された基準時間の間（例えば、５秒間）持続的に押していれば、該当選択された第２操作スイッチ部２２０の入力信号に対応する、既に設定されたスポーツ種目（例えば、バスケットボール）の固有番号（例えば、６）が、該当選択された第２操作スイッチ部２２０の別途の表示部によって表示されるとともに、既に設定されたスポーツ種目（例えば、バスケットボール）に応じて表示モジュール１００に該当スポーツ種目（例えば、バスケットボール）の競技進行情報が表示される。
【００８２】
すなわち、制御モジュール３００は、該当選択された第２操作スイッチ部２２０の入力信号に対応する、既に設定されたスポーツ種目がバスケットボール（Ｂａｓｋｅｔｂａｌｌ）種目である場合、操作パネルモジュール２００に備えられた第２操作スイッチ部２２０の入力信号によって設定されたバスケットボール種目の競技進行時間（例えば、１乃至４クォーター１０分）が表示モジュール１００の第１表示部１２０に表示されるように制御する機能を行うことができる。
【００８３】
また、制御モジュール３００は、操作パネルモジュール２００に備えられた第２操作スイッチ部２２０の入力信号によって設定されたバスケットボール種目の競技進行時間（例えば、１〜４クォーター１０分）が操作パネルモジュール２００の第６操作スイッチ部２６０（例えば、保存ボタン）の入力信号に応じて、別途の保存モジュール５００に保存されるように制御する機能を行うことができる。
【００８４】
また、制御モジュール３００は、操作パネルモジュール２００に備えられた第１操作スイッチ部２１０ａ及び２１０ｂの入力信号に応じて、両チームの競技点数の加点（例えば、１Ｐ、２Ｐ、３Ｐボタン）及び／または減点（例えば、減点ボタン）カウントが表示モジュール１００の第２表示部１３０ａ及び１３０ｂにそれぞれ表示されるように制御する機能を行うことができる。
【００８５】
また、制御モジュール３００は、操作パネルモジュール２００に備えられた第３操作スイッチ部２３０の入力信号によって設定された基準攻撃制限時間（例えば、２４秒）が表示モジュール１００の第３表示部１４０に表示されるように制御する機能を行うことができる。
【００８６】
また、制御モジュール３００は、操作パネルモジュール２００に備えられた第１操作スイッチ部２１０ａ及び２１０ｂ（例えば、ファウル／セットボタン）の入力信号に応じて、両チームの競技ファウル回数が表示モジュール１００の第４表示部１５０ａ及び１５０ｂにそれぞれ表示されるように制御する機能を行うことができる。
【００８７】
また、制御モジュール３００は、操作パネルモジュール２００に備えられた第１操作スイッチ部２１０ａ及び２１０ｂ（例えば、作戦タイムボタン）の入力信号に応じて、両チームの作戦タイム回数が表示モジュール１００の第５表示部１６０ａ及び１６０ｂにそれぞれ表示されるように制御する機能を行うことができる。
【００８８】
また、制御モジュール３００は、操作パネルモジュール２００に備えられた第５操作スイッチ部２５０（例えば、クォーターボタン）の入力信号に応じて、競技クォーター回数（例えば、１〜４クォーター）が表示モジュール１００の第６表示部１７０に表示されるように制御する機能を行うことができる。
【００８９】
別の例として、図１１に示すように、操作パネルモジュール２００に備えられた複数の第１乃至第８操作スイッチ部２１０ａ乃至２８０のうち、いずれか一つの選択された第１操作スイッチ部２１０ａ及び２１０ｂ（例えば、減点ボタン）を、既に設定された基準時間の間（例えば、５秒間）持続的に押していれば、該当選択された第１操作スイッチ部２１０ａ及び２１０ｂの入力信号に対応する、既に設定されたスポーツ種目（例えば、バドミントンまたは卓球）の固有番号（例えば、７）が、該当選択された第１操作スイッチ部２１０ａ及び２１０ｂに備えられた別途の表示部によって表示されるとともに、既に設定されたスポーツ種目（例えば、バドミントンまたは卓球）に応じて表示モジュール１００に該当スポーツ種目（例えば、バドミントンまたは卓球）の競技進行情報が表示される。
【００９０】
すなわち、制御モジュール３００は、該当選択された第１操作スイッチ部２１０ａ及び２１０ｂの入力信号に対応する、既に設定されたスポーツ種目がバドミントンまたは卓球種目である場合、操作パネルモジュール２００に備えられた第１操作スイッチ部２１０ａ及び２１０ｂの入力信号に応じて、両チームの競技点数の加点（例えば、１Ｐボタン）及び／または減点（例えば、減点ボタン）カウントが表示モジュール１００の第２表示部１３０ａ及び１３０ｂにそれぞれ表示されるように制御する機能を行うことができる。
【００９１】
また、制御モジュール３００は、操作パネルモジュール２００に備えられた第５操作スイッチ部２５０（例えば、クォーターボタン）の入力信号に応じて、競技セット回数（例えば、１〜９セット）が表示モジュール１００の第３表示部１４０に表示されるように制御する機能を行うことができる。
【００９２】
また、制御モジュール３００は、操作パネルモジュール２００に備えられた第１操作スイッチ部２１０ａ及び２１０ｂ（例えば、ファウル／セットボタン）の入力信号に応じて、両チームの競技セットスコアが表示モジュール１００の第４表示部１５０ａ及び１５０ｂにそれぞれ表示されるように制御する機能を行うことができる。
【００９３】
また、制御モジュール３００は、操作パネルモジュール２００に備えられた第１操作スイッチ部２１０ａ及び２１０ｂ（例えば、作戦タイムボタン）の入力信号に応じて、両チームの作戦タイム回数が表示モジュール１００の第５表示部１６０ａ及び１６０ｂにそれぞれ表示されるように制御する機能を行うことができる。
【００９４】
別の例として、図１２に示すように、操作パネルモジュール２００に備えられた複数の第１乃至第８操作スイッチ部２１０ａ乃至２８０のうちいずれか一つの選択された第１操作スイッチ部２１０ａ及び２１０ｂ（例えば、ファウル／セットボタン）を、既に設定され基準時間の間（例えば、５秒間）持続的に押していれば、該当選択された第１操作スイッチ部２１０ａ及び２１０ｂの入力信号に対応する、既に設定されたスポーツ種目（例えば、柔道）の固有番号（例えば、８）が、該当選択された第１操作スイッチ部２１０ａ及び２１０ｂに備えられた別途の表示部によって表示されるとともに、既に設定されたスポーツ種目（例えば、柔道）に応じて、表示モジュール１００に該当スポーツ種目（例えば、柔道）の競技進行情報が表示される。
【００９５】
すなわち、制御モジュール３００は、該当選択された第１操作スイッチ部２１０ａ及び２１０ｂの入力信号に対応する、既に設定されたスポーツ種目が柔道種目である場合、操作パネルモジュール２００に備えられた第２操作スイッチ部２２０の入力信号によって設定された柔道種目の競技進行時間（例えば、５分）が表示モジュール１００の第１表示部１２０に表示されるように制御する機能を行うことができる。
【００９６】
また、制御モジュール３００は、操作パネルモジュール２００に備えられた第２操作スイッチ部２２０の入力信号によって設定された誘導種目の競技進行時間（例えば、５分）が、操作パネルモジュール２００に備えられた第６操作スイッチ部２６０（例えば、保存ボタン）の入力信号に応じて、別途の保存モジュール５００に保存されるように制御する機能を行うことができる。
【００９７】
また、制御モジュール３００は、操作パネルモジュール２００に備えられた第１操作スイッチ部２１０ａ及び２１０ｂの入力信号に応じて、両チームの競技点数の加点（例えば、１Ｐ、２Ｐ、３Ｐボタン）及び／または減点（例えば、減点ボタン）カウントが表示モジュール１００の第２表示部１３０ａ及び１３０ｂにそれぞれ表示されるように制御する機能を行うことができる。
【００９８】
また、制御モジュール３００は、操作パネルモジュール２００に備えられた第１操作スイッチ部２１０ａ及び２１０ｂ（例えば、ファウル／セットボタン）の入力信号に応じて、両チームの競技ファウル回数が表示モジュール１００の第４表示部１５０ａ及び１５０ｂにそれぞれ表示されるように制御する機能を行うことができる。
【００９９】
別の例として、図１３に示すように、操作パネルモジュール２００に備えられた複数の第１乃至第８操作スイッチ部２１０ａ乃至２８０のうち、いずれか一つの選択された第１操作スイッチ部２１０ａ及び２１０ｂ（例えば、作戦タイムボタン）を、既に設定された基準時間の間（例えば、５秒間）持続的に押していれば、該当選択された第１操作スイッチ部２１０ａ及び２１０ｂの入力信号に対応する、既に設定されたスポーツ種目（例えば、フットサル）の固有番号（例えば、９）が、該当選択された第１操作スイッチ部２１０ａ及び２１０ｂに備えられた別途の表示部によって表示されるとともに、既に設定されたスポーツ種目（例えば、フットサル）に応じて表示モジュール１００に該当スポーツ種目（例えば、フットサル）の競技進行情報が表示される。
【０１００】
すなわち、制御モジュール３００は、該当選択された第１操作スイッチ部２１０ａ及び２１０ｂの入力信号に対応する、既に設定されたスポーツ種目がフットサル種目である場合、操作パネルモジュール２００に備えられた第２操作スイッチ部２２０の入力信号によって設定されたフットサル種目の競技進行時間（例えば、前半：２０分、後半：２０分、合計４０分）が表示モジュール１００の第１表示部１２０に表示されるように制御する機能を行うことができる。
【０１０１】
また、制御モジュール３００は、操作パネルモジュール２００に備えられた第２操作スイッチ部２２０の入力信号によって設定されたフットサル種目の競技進行時間（例えば、前半：２０分、後半：２０分、合計４０分）が、操作パネルモジュール２００に備えられた第６操作スイッチ部２６０（例えば、保存ボタン）の入力信号に応じて、別途の保存モジュール５００に保存されるように制御する機能を行うことができる。
【０１０２】
また、制御モジュール３００は、操作パネルモジュール２００に備えられた第１操作スイッチ部２１０ａ及び２１０ｂの入力信号に応じて、両チームの競技点数の加点（例えば、１Ｐボタン）及び／または減点（例えば、減点ボタン）カウントが表示モジュール１００の第２表示部１３０ａ及び１３０ｂにそれぞれ表示されるように制御する機能を行うことができる。
【０１０３】
また、制御モジュール３００は、操作パネルモジュール２００に備えられた第１操作スイッチ部２１０ａ及び２１０ｂ（例えば、ファウル／セットボタン）の入力信号に応じて、両チームの競技ファウル回数（例えば、１〜９）が表示モジュール１００の第４表示部１５０ａ及び１５０ｂにそれぞれ表示されるように制御する機能を行うことができる。
【０１０４】
また、制御モジュール３００は、操作パネルモジュール２００に備えられた第１操作スイッチ部２１０ａ及び２１０ｂ（例えば、作戦タイムボタン）の入力信号に応じて、両チームの作戦タイム回数が表示モジュール１００の第５表示部１６０ａ及び１６０ｂにそれぞれ表示されるように制御するとともに、既に設定された作戦タイム時間（例えば、６０秒）が表示モジュール１００の第１表示部１２０に表示されるように制御する機能を行うことができる。
【０１０５】
一方、制御モジュール３００は、無線通信モジュール６００を介して受信したスコアボード制御信号に基づいて、表示モジュール１００にスポーツ種目別（例えば、屋内サッカー、シャトルラン、バレーボール、レスリング、バスケットボール、バドミントン、卓球、柔道、フットサルなど）の競技進行情報が表示されるように制御する機能を行うことができる。
【０１０６】
また、制御モジュール３００は、既に設定された音声または音源データや、外部の移動通信端末１０００から受信した音声または音源データが音声出力モジュール８００によって出力されるように制御する機能を行うことができ、音声獲得モジュール９００から獲得された外部の音声情報が音声出力モジュール８００によって出力されるように制御する機能を行うことができる。
【０１０７】
このとき、外部の移動通信端末１０００は、無線インターネットまたは携帯インターネットを介して通信するスマートフォン（Ｓｍａｒｔ  Ｐｈｏｎｅ）、スマートパッド（Ｓｍａｒｔ  Ｐａｄ）及びスマートノート（Ｓｍａｒｔ  Ｎｏｔｅ）のうちの少なくとも一つの移動端末装置からなることが好ましく、この他にもパーム（Ｐａｌｍ）ＰＣ、モバイルゲーム機（Ｍｏｂｉｌｅ  ｐｌａｙ−ｓｔａｔｉｏｎ）、通信機能付きＤＭＢ（Ｄｉｇｉｔａｌ  Ｍｕｌｔｉｍｅｄｉａ  Ｂｒｏａｄｃａｓｔｉｎｇ）フォン、タブレットＰＣ、アイパッド（登録商標）（ｉＰａｄ（登録商標））など、制御モジュール３００に接続するためのユーザーインターフェースを持つすべての有無線家電／通信装置を包括的に意味することができる。
【０１０８】
特に、移動通信端末１０００が通常のスマートフォンで実現される場合、前記スマートフォンは、一般な携帯電話（いわゆる、フィーチャーフォン（ｆｅａｔｕｒｅｐｈｏｎｅ））とは異なり、ユーザーが所望する様々なアプリケーション（Ａｐｐｌｉｃａｔｉｏｎ）プログラムをダウンロードして自由に使用し、削除が可能なオープンＯＳ（オペレーティングシステム）をベースにした電話（Ｐｈｏｎｅ）であって、一般に使用される音声／映像通話、インターネットデータ通信などの機能だけでなく、モバイルオフィス機能を備えたすべてのモバイルフォンまたは音声通話機能はないものの、インターネット接続可能なすべてのインターネット電話またはタブレット（Ｔａｂｌｅｔ）ＰＣを含む通信機器として理解することが好ましい。
【０１０９】
このような前記スマートフォンは、様々なオープンＯＳを搭載したスマートフォンで実現でき、前記オープンＯＳとしては、例えば、ＮＯＫＩＡ社のシンビアン（Ｓｙｍｂｉａｎ）、ＲＩＭＳ社のブラックベリー（ＢｌａｃｋＢｅｒｒｙ）、Ａｐｐｌｅ社のｉＰｈｏｎｅ（登録商標）、マイクロソフト（ＭＳ）社のウィンドウズ（登録商標）モバイル、Ｇｏｏｇｌｅ社のアンドロイド、サムスン電子社のＢａｄａなどが挙げられる。
【０１１０】
このように、前記スマートフォンは、オープンＯＳを使用するので、閉鎖的なＯＳ（オペレーティングシステム）を持つ携帯電話とは異なり、ユーザーが任意に様々なアプリケーションプログラムをインストールし、管理することができる。
【０１１１】
すなわち、前記スマートフォンは、基本的に、制御部、メモリ部、画面出力部、キー入力部、サウンド出力部、サウンド入力部、カメラ部、無線網通信モジュール、近距離無線通信モジュール、及び電源供給のためのバッテリーなどを備える。
【０１１２】
前記制御部は、スマートフォンの動作を制御する機能構成の総称であって、少なくとも一つのプロセッサと実行メモリを含み、スマートフォンに備えられた各機能構成部とバス（ＢＵＳ）を介して接続される。
【０１１３】
このような前記制御部は、前記プロセッサを介して、スマートフォンに備えられる少なくとも一つのプログラムコードを前記実行メモリにロードして演算し、その結果を前記バスを介して少なくとも一つの機能構成部へ伝達してスマートフォンの動作を制御する。
【０１１４】
前記メモリ部は、スマートフォンに備えられる不揮発性メモリの総称であって、前記制御部を介して実行される少なくとも一つのプログラムコードと、前記プログラムコードが利用される少なくとも一つのデータセットとを保存して維持する。前記メモリ部は、基本的に、スマートフォンのオペレーティングシステムに対応するシステムプログラムコードとシステムデータセット、スマートフォンの無線通信接続を処理する通信プログラムコードと通信データセット、及び少なくとも一つの応用プログラムコードと応用データセットを保存する。本発明を実現するためのプログラムコードとデータセットも前記メモリ部に保存される。
【０１１５】
前記画面出力部は、画面出力装置（例えば、ＬＣＤ、ＬＥＤ装置）とこれを駆動する出力モジュールとから構成され、前記制御部とバスで接続され、前記制御部の各種演算結果のうち、画面出力に対応する演算結果を前記画面出力装置へ出力する。
【０１１６】
前記キー入力部は、少なくとも１つのキーボタンを備えたキー入力装置（または前記画面出力部と連動するタッチスクリーン装置）と、これを駆動する入力モジュールとから構成され、前記制御部とバスで接続されて前記制御部の各種演算を命令するコマンドを入力するか、或いは前記制御部の演算に必要なデータを入力する。
【０１１７】
前記サウンド出力部は、サウンド信号を出力するスピーカーと、前記スピーカーを駆動するサウンドモジュールとから構成され、前記制御部とバスで接続され、前記制御部の各種演算結果のうち、サウンド出力に対応する演算結果を前記スピーカーを介して出力する。前記サウンドモジュールは、前記スピーカーを介して出力するサウンドデータをデコード（Ｄｅｃｏｄｉｎｇ）してサウンド信号に変換する。
【０１１８】
前記サウンド入力部は、サウンド信号の入力を受けるマイクと、前記マイクを駆動するサウンドモジュールとから構成され、前記マイクを介して入力されたサウンドデータを前記制御部へ伝達する。前記サウンドモジュールは、前記マイクを介して入力されるサウンド信号をエンコード（Ｅｎｃｏｄｉｎｇ）する。
【０１１９】
前記カメラ部は、光学部、ＣＣＤ（Ｃｈａｒｇｅ  Ｃｏｕｐｌｅｄ  Ｄｅｖｉｃｅ）、及びこれを駆動するカメラモジュールから構成され、前記光学部を介して前記ＣＣＤに入力されたビットマップデータを獲得する。前記ビットマップデータは、静止画データと動画データの両方ともを含むことができる。
【０１２０】
前記無線網通信モジュールは、無線通信を接続する通信構成の総称であって、特定の周波数帯域の無線周波数信号を送受信するアンテナ、ＲＦモジュール、ベースバンドモジュール、及び信号処理モジュールを少なくとも一つ含んで構成され、前記制御部とバスで接続され、前記制御部の各種演算結果のうち、無線通信に対応する演算結果を無線通信を介して伝送するか、或いは無線通信を介してデータを受信して前記制御部へ伝達すると同時に、前記無線通信の接続、登録、通信、ハンドオフの手続きを維持する。
【０１２１】
また、前記無線網通信モジュールは、ＣＤＭＡ／ＷＣＤＭＡ（登録商標）規格に応じて、移動通信網に接続し、位置登録、呼処理、通話接続、データ通信及びハンドオフを少なくとも一つ行う移動通信構成を含む。一方、当業者の意図に応じて、前記無線網通信モジュールは、ＩＥＥＥ  ８０２．１６規格に基づいて、携帯インターネットに接続し、位置登録、データ通信及びハンドオフを少なくとも一つ行う携帯インターネット通信構成をさらに含むことができ、前記無線網通信モジュールが提供する無線通信構成によって本発明が限定されないことを明らかにしておく。
【０１２２】
前記近距離無線通信モジュールは、一定の距離以内で無線周波数信号を通信媒体として用いて通信セッションを接続する近距離無線通信モジュールから構成され、好ましくは、ＩＳＯ  １８００００シリーズ規格のＲＦＩＤ通信、ブルートゥース（登録商標）通信、Ｗｉ−Ｆｉ通信、及び公衆無線通信のうちの少なくとも一つを含むことができる。また、前記近距離無線通信モジュールは、前記無線ネットワーク通信モジュールと統合できる。
【０１２３】
また、電源供給モジュール４００は、表示モジュール１００の本体部１１０の内部に備えられており、各モジュール、すなわち、表示モジュール１００、操作パネルモジュール２００、制御モジュール３００、保存モジュール５００、無線通信モジュール６００、近距離無線通信モジュール７００、音声出力モジュール８００、及び音声獲得モジュール９００などに必要な電源を供給する機能を行うので、通常のポータブルバッテリー（Ｂａｔｔｅｒｙ）で実現されることが好ましいが、これに限定されず、外部の交流電源（例えば、ＡＣ２２０Ｖ）の提供を受け、各種直流電源に変換されるように実現してもよい。
【０１２４】
保存モジュール５００は、制御モジュール３００の制御に基づいて、操作パネルモジュール２００に備えられた第６操作スイッチ部２６０（例えば、保存ボタン）の入力信号によってスポーツ種目別の競技進行時間及び／または作戦タイム時間などを保存する機能を行う。
【０１２５】
また、保存モジュール５００は、制御モジュール３００を介して実行される少なくとも一つのプログラムコード、及び前記プログラムコードが利用する少なくとも一つのデータセットを保存して維持する機能を行うこともできる。
【０１２６】
このような保存モジュール５００は、例えば、フラッシュメモリタイプ（Ｆｌａｓｈ  Ｍｅｍｏｒｙ  ｔｙｐｅ）、ハードディスクタイプ（Ｈａｒｄ  Ｄｉｓｋ  ｔｙｐｅ）、マルチメディアカードマイクロタイプ（Ｍｕｌｔｉｍｅｄｉａ  Ｃａｒｄ  Ｍｉｃｒｏ  ｔｙｐｅ）、カードタイプのメモリ（例えば、ＳＤまたはＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、及び光ディスクのうち少なくとも一つのタイプの記憶媒体を含むことができる。
【０１２７】
無線通信モジュール６００は、制御モジュール３００の制御に基づいて、無線通信方式を用いて、外部の移動通信端末１０００から伝送されたスコアボード制御信号を受信して制御モジュール３００へ伝送する機能を行う。
【０１２８】
このとき、前記無線通信方式は、例えば、同期式移動通信網であってもよく、非同期移動通信網であってもよい。前記非同期移動通信網の実施例として、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の通信網を挙げることができる。この場合、図示してはいないが、前記移動通信網はＲＮＣ（Ｒａｄｉｏ  Ｎｅｔｗｏｒｋ  Ｃｏｎｔｒｏｌｌｅｒ）を含むことができる。一方、ＷＣＤＭＡ（登録商標）網を一例として挙げたが、３Ｇ
ＬＴＥ網、４Ｇ網、５Ｇ網などの次世代通信網、その他のＩＰをベースにしたＩＰ網であってもよい。
【０１２９】
また、前記無線通信方式は、大容量、長距離音声及びデータサービスが可能な大型通信網の高速基幹網である通信網であってもよく、インターネット（Ｉｎｔｅｒｎｅｔ）または高速のマルチメディアサービスを提供するためのＷｉ−Ｆｉ、ＷｉＧｉｇ、Ｗｉｂｒｏ（Ｗｉｒｅｌｅｓｓ  Ｂｒｏａｄｂａｎｄ  Ｉｎｔｅｒｎｅｔ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）などを含む次世代無線網であってもよい。
【０１３０】
前記インターネットは、ＴＣＰ／ＩＰプロトコル及びその上位階層に存在する様々なサービス、すなわちＨＴＴＰ（Ｈｙｐｅｒ  Ｔｅｘｔ  Ｔｒａｎｓｆｅｒ  Ｐｒｏｔｏｃｏｌ）、Ｔｅｌｎｅｔ、ＦＴＰ（Ｆｉｌｅ  Ｔｒａｎｓｆｅｒ  Ｐｒｏｔｏｃｏｌ）、ＤＮＳ（Ｄｏｍａｉｎ  Ｎａｍｅ  Ｓｙｓｔｅｍ）、ＳＭＴＰ（Ｓｉｍｐｌｅ  Ｍａｉｌ  Ｔｒａｎｓｆｅｒ  Ｐｒｏｔｏｃｏｌ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）、ＮＦＳ（Ｎｅｔｗｏｒｋ  Ｆｉｌｅ  Ｓｅｒｖｉｃｅ）、ＮＩＳ（Ｎｅｔｗｏｒｋ  Ｉｎｆｏｒｍａｔｉｏｎ  Ｓｅｒｖｉｃｅ）などを提供する全世界的なオープンコンピュータネットワーク構造を意味し、本発明の一実施例に係る多種目スポーツ競技用スコアボード装置の無線通信モジュール６００が外部の移動通信端末１０００に接続できるようにする環境を提供する。一方、前記インターネットは有線または無線インターネットであってもよく、この他にも有線公衆網、無線移動通信網、または携帯インターネットなどと統合されたコア網であってもよい。
【０１３１】
近距離無線通信モジュール７００は、制御モジュール３００の制御に基づいて、近距離通信方式を用いて外部の移動通信端末１０００とデータを送受信する機能を行う。
【０１３２】
このとき、前記近距離通信方式は、例えば、ブルートゥース（登録商標）（Ｂｌｕｅｔｏｏｔｈ（登録商標））通信、ＲＦＩＤ（Ｒａｄｉｏ  Ｆｒｅｑｕｅｎｃｙ  Ｉｄｅｎｔｉｆｉｃａｔｉｏｎ）通信、赤外線（ＩｒＤＡ、ｉｎｆｒａｒｅｄ  Ｄａｔａ  Ａｓｓｏｃｉａｔｉｏｎ）通信、ＵＷＢ（Ｕｌｔｒａ  Ｗｉｄｅｂａｎｄ）通信、及びジグビー（ＺｉｇＢｅｅ）通信のいずれかの方式で行われることが好ましい。
【０１３３】
音声出力モジュール８００は、外部の音声情報データを出力するモジュールであって、表示モジュール１００に備えられた本体部１１０の一側に備えられており、有線もしくは無線通信モジュール６００または近距離無線通信モジュール７００を介して受信した外部の音声データや所定の音声データをユーザーが聴覚的に認識することができるように音声信号を出力する機能を行う。
【０１３４】
このような音声出力モジュール８００は、通常のスピーカー（Ｓｐｅａｋｅｒ）で実現されることが好ましいが、これに限定されず、イヤホンまたはヘッドホンを介してユーザーが聴取することができるように、音声増幅回路を始めとする連結ジャックなどで実現してもよい。
【０１３５】
音声獲得モジュール９００は、外部の周辺音声情報データを獲得するモジュールであって、表示モジュール１００に備えられた本体部１１０の一側に備えられるか、或いは有／無線で連結されており、通常のマイク（Ｍｉｃｒｏｐｈｏｎｅ）で実現することが好ましいが、これに限定されず、無線周波数を利用したワイヤレスマイクを用いてもよい。
【０１３６】
さらに、表示モジュール１００に備えられた本体部１１０の一側面（好ましくは、上側面）に形成され、制御モジュール３００の制御に基づいて、有／無線で連結された外部のモジュールまたは機器／装置（例えば、ＵＳＢメモリ、メモリカード、携帯電話など）から伝送される音声または音源データなどを音声出力モジュール８００へ出力するための動作機能（例えば、ボリューム、メニュー、動作状態など）及び該当音源または音声データの概略的な情報などを視覚的に表示する音源情報表示部９１０をさらに含むこともできる。
【０１３７】
また、表示モジュール１００に備えられた本体部１１０の一側面（好ましくは、上側面）に形成され、制御モジュール３００の制御に基づいて、ＵＳＢポート（Ｐｏｒｔ）を介して連結された外部のモジュールまたは機器／装置（例えば、ＵＳＢメモリ、携帯電話など）から音声または音源データを読み込んで制御モジュール３００へ伝達するＵＳＢインターフェース部９２０をさらに含むこともできる。
【０１３８】
このとき、制御モジュール３００は、ＵＳＢインターフェース部９２０を介して伝達された音声または音源データの提供を受け、これを分析して音声出力モジュール８００に出力されるように制御するとともに、音源情報表示部９１０に該当音声または音源データの概略的な情報が表示されるように制御することが好ましい。
【０１３９】
また、表示モジュール１００に備えられた本体部１１０の一側面（好ましくは、上側面）に形成され、制御モジュール３００の制御に基づいて、メモリカードスロット（ｓｌｏｔ）を介して装着されたメモリカード（例えば、ＴＦカード、マイクロＳＤカードなど）から音声または音源データを読み込んで制御モジュール３００へ伝達するメモリカードリーダー部９３０をさらに含むこともできる。
【０１４０】
このとき、制御モジュール３００は、メモリカードリーダー部９３０を介して伝達された音声または音源データの提供を受け、これを分析して音声出力モジュール８００に出力されるように制御するとともに、音源情報表示部９１０に該当音声または音源データの概略的な情報が表示されるように制御することが好ましい。
【０１４１】
また、表示モジュール１００に備えられた本体部１１０の一側面（好ましくは、上側面）に形成され、制御モジュール３００の制御に基づいて、ＡＵＸ（Ａｕｘｉｌｉａｒｙ）端子を介して連結された外部の機器／装置（例えば、携帯電話、カーナビなど）から出力されるオーディオデータを制御モジュール３００へ伝達するオーディオインターフェース部９４０をさらに含むこともできる。
【０１４２】
このとき、制御モジュール３００は、オーディオインターフェース部９４０を介して伝達されたオーディオデータの提供を受け、これを分析して音声出力モジュール８００に出力されるように制御するとともに、音源情報表示部９１０に該当オーディオデータの概略的な情報が表示されるように制御することが好ましい。
【０１４３】
また、表示モジュール１００に備えられた本体部１１０の一側面（好ましくは、上側面）に形成され、複数のスイッチの操作によって音声出力モジュール８００及び／または音源情報表示部９１０の動作のための入力信号を出力する音源操作スイッチ部９５０をさらに含むこともできる。
【０１４４】
このとき、制御モジュール３００は、音源操作スイッチ部９５０から出力される入力信号に応じて、音声出力モジュール８００及び／または音源情報表示部９１０の動作を制御することが好ましい。
【０１４５】
一方、第８操作スイッチ部２８０を介して発生した音源（例えば、ｂｕｚｚｅｒ）発生信号と、ＵＳＢインターフェース部９２０、メモリカードリーダー部９３０またはオーディオインターフェース部９４０を介して外部から入力された音源データ（例えば、ＭＰ３ファイルなど）とが制御モジュール３００の制御に基づいて音声出力モジュール８００を介して同時に出力される場合、ノイズ（Ｎｏｉｓｅ）が発生するが、この際、制御モジュール３００は、別途備えられたアナログスイッチ（図示せず）から入力されたスイッチ入力信号に応じて、平常時にはＵＳＢインターフェース部９２０、メモリカードリーダー部９３０またはオーディオインターフェース部９４０を介して外部から音源データ（例えば、ＭＰ３ファイルなど）の入力を受けて音声出力モジュール８００を介して出力されるように制御し、第８操作スイッチ部２８０を介して発生した音源（例えば、ｂｕｚｚｅｒ）発生信号の入力を受ける場合、音声出力モジュール８００を介して出力される音源データ（例えば、ＭＰ３ファイルなど）を中止させ、第８操作スイッチ部２８０を介して発生した音源（例えば、ｂｕｚｚｅｒ）発生信号が音声出力モジュール８００へ出力されるように制御することができる。
【０１４６】
図１４は本発明の一実施例に係る多種目スポーツ競技用スコアボード装置を用いて外部のディスプレイ装置に画面を出力する使用状態図である。
【０１４７】
図１４によれば、多種目スポーツ競技用スコアボード装置に含まれた映像出力モジュール１１００を介して競技進行情報が外部のディスプレイ装置１２００（例えば、モニターなど）に伝送され、本発明の一実施例に係る表示モジュール１００に表示される画面と同じ画面が外部のディスプレイ装置１２００に表示され得る。
【０１４８】
本発明の一実施例によれば、前記競技進行情報は、無線通信モジュール６００を介して無線で外部のディスプレイ装置１２００に伝送でき、複数のモニターに同時に伝送できる。
【０１４９】
図１５は本発明の一実施例に係る故障判断回路部の動作順序図である。
【０１５０】
本発明の一実施例に係る多種目スポーツ競技用スコアボード装置は、音声出力モジュールの正常かどうかを判断する故障判断回路をさらに含む。
【０１５１】
本発明の一実施例に係る故障判断回路は、故障判断アルゴリズムにより動作するが、前記故障判断アルゴリズムは、図１５に示されている通りである。
【０１５２】
故障判断回路部が音声出力モジュールから出力された音源を感知し（Ｓ１００）、回路を構成する演算増幅器（Ｏｐ−Ａｍｐ）の出力が５０ｍＡ以上であるかを判断する（Ｓ２００）。前記演算増幅器（Ｏｐ−Ａｍｐ）の出力が５０ｍＡを超える場合、音声出力モジュールが正常であると判断し、リレースイッチの接続はＯＦＦ状態を維持し、接続された４つのスピーカーの音声出力を動作させる（Ｓ３００）。
【０１５３】
反面、故障判断回路部が、前記演算増幅器（Ｏｐ−Ａｍｐ）の出力が５０ｍＡ以下であると判断すると、リレースイッチの接続はＯＮ状態に変更され、接続された４つのスピーカーのうち２つのスピーカーの音声出力のみを動作させる（Ｓ４００）。
【０１５４】
一方、表示モジュール１００及び外部のディスプレイ装置１２００に表示された競技進行情報（例えば、チーム名）は、キーボードを用いて入力または修正できる。
【０１５５】
ここで説明される様々な実施例は、例えば、ソフトウェア、ハードウェア、またはこれらの組み合わせを用いてコンピュータまたはこれに類似した装置で読むことが可能な記録媒体内で実現できる。
【０１５６】
ハードウェア的な実現によれば、ここで説明される実施例は、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ（ｐｒｏｃｅｓｓｏｒｓ）、制御器（ｃｏｎｔｒｏｌｌｅｒｓ）、マイクロコントローラ（ｍｉｃｒｏ−ｃｏｎｔｒｏｌｌｅｒｓ）、マイクロプロセッサ（ｍｉｃｒｏｐｒｏｃｅｓｓｏｒｓ）、及び機能実行のための電気的なユニットのうち少なくとも一つを用いて実現できる。一部の場合に、それらの実施例が制御モジュール３００によって実現できる。
【０１５７】
ソフトウェア的な実現によれば、手続きや機能などの実施例は、少なくとも一つの機能または作動を行うようにする別個のソフトウェアモジュールと一緒に実現できる。ソフトウェアコードは、適切なプログラム言語で書かれたソフトウェアアプリケーションによって実現できる。また、ソフトウェアコードは、保存モジュール５００に保存され、制御モジュール３００によって実行できる。
【０１５８】
前述した本発明に係る多種目スポーツ競技用スコアボード装置の好適な実施例について説明したが、本発明は、これに限定されるものではなく、特許請求の範囲と発明の詳細な説明及び添付図面の範囲内で様々に変形実施することが可能であり、それらも本発明に属する。
【符号の説明】
【０１５９】
１００    表示モジュール
２００    操作パネルモジュール
３００    制御モジュール
４００    電源供給モジュール
５００    保存モジュール
６００    無線通信モジュール
７００    近距離無線通信モジュール
８００    音声出力モジュール
９００    音声獲得モジュール
１０００    移動通信端末
１１００    映像出力モジュール
１２００    外部のディスプレイ装置
【図１】
2018153610.tif 000003
【図２】
2018153610.tif 000004
【図３】
2018153610.tif 000005
【図４】
2018153610.tif 000006
【図５】
2018153610.tif 000007
【図６】
2018153610.tif 000008
【図７】
2018153610.tif 000009
【図８】
2018153610.tif 000010
【図９】
2018153610.tif 000011
【図１０】
2018153610.tif 000012
【図１１】
2018153610.tif 000013
【図１２】
2018153610.tif 000014
【図１３】
2018153610.tif 000015
【図１４】
2018153610.tif 000016
【図１５】
2018153610.tif 000017